(57)【要約】      （修正有）【課題】作成するラベルが貼付対象物に貼り付けられた状態をプレビュー表示する構成において、任意の貼付対象物でのプレビュー表示を行うプレビュー表示方法を提供する。【解決手段】貼付対象物を撮像して撮像画像を取得する撮像ステップと、ラベルのプレビューを表示するプレビュー表示ステップと、を実行する。プレビュー表示ステップでは、撮像画像を表示する撮像画像表示ステップＳ１４と、貼付対象物の実寸法を取得する実寸法取得ステップＳ１５と、取得した実寸法に基づき、撮像画像上の貼付対象物の寸法に合わせて、ラベルのラベルイメージを相対的に拡縮するラベルイメージ拡縮ステップＳ１７と、拡縮したラベルイメージを、撮像画像上の貼付対象物に重畳して表示するラベルイメージ表示ステップＳ１９と、を実行する。【選択図】図６
2017097587.tif 000002
【特許請求の範囲】
【請求項１】
作成するラベルのプレビューを表示するプレビュー表示方法であって、
前記ラベルを貼り付ける貼付対象物を撮像して撮像画像を取得する撮像ステップと、
取得した前記撮像画像をデータベースに記録する記録ステップと、
前記ラベルのプレビューを表示するプレビュー表示ステップと、を実行し、
前記プレビュー表示ステップでは、
前記データベースから読み出した前記撮像画像を表示する撮像画像表示ステップと、
前記貼付対象物の実寸法を取得する実寸法取得ステップと、
取得した前記実寸法に基づき、前記撮像画像上の前記貼付対象物の寸法に合わせて、前記ラベルのラベルイメージを相対的に拡縮するラベルイメージ拡縮ステップと、
拡縮した前記ラベルイメージを、前記撮像画像上の前記貼付対象物に重畳して表示するラベルイメージ表示ステップと、を実行することを特徴とするプレビュー表示方法。
【請求項２】
前記撮像ステップでは、前記貼付対象物と共に、当該貼付対象物に貼り付けられたゲージを撮像し、
前記実寸法取得ステップでは、前記撮像画像上の前記ゲージに基づいて、前記貼付対象物の実寸法を取得することを特徴とする請求項１に記載のプレビュー表示方法。
【請求項３】
前記貼付対象物の実寸法を入力する実寸法入力ステップを、更に実行し、
前記実寸法取得ステップでは、前記実寸法入力ステップにより入力された前記実寸法を取得することを特徴とする請求項１に記載のプレビュー表示方法。
【請求項４】
前記ラベルの寸法を入力する寸法入力ステップを、更に実行し、
前記記録ステップでは、前記撮像画像を、入力された前記ラベルの寸法と紐付けて前記データベースに記録することを特徴とする請求項１ないし３のいずれか一項に記載のプレビュー表示方法。
【請求項５】
前記貼付対象物を入力する対象物入力ステップを、更に実行し、
前記記録ステップでは、前記撮像画像を、入力された前記貼付対象物と紐付けて前記データベースに記録することを特徴とする請求項１ないし４のいずれか一項に記載のプレビュー表示方法。
【請求項６】
作成するラベルのプレビューを表示するプレビュー表示装置であって、
前記ラベルを貼り付ける貼付対象物を撮像して撮像画像を取得する対象物撮像部と、
取得した前記撮像画像をデータベースに記録する記録部と、
前記ラベルのプレビューを表示するプレビュー表示部と、を備え、
前記プレビュー表示部は、
前記データベースから読み出した前記撮像画像を表示する撮像画像表示部と、
前記貼付対象物の実寸法を取得する実寸法取得部と、
取得した前記実寸法に基づき、前記撮像画像上の前記貼付対象物の寸法に合わせて、前記ラベルのラベルイメージを相対的に拡縮するラベルイメージ拡縮部と、
拡縮した前記ラベルイメージを、前記撮像画像上の前記貼付対象物に重畳して表示するラベルイメージ表示部と、を有することを特徴とするプレビュー表示装置。
【発明の詳細な説明】
【技術分野】
【０００１】
作成するラベルのプレビューを表示するプレビュー表示方法およびプレビュー表示装置に関するものである。
【背景技術】
【０００２】
従来、この種のプレビュー表示装置（データ描画装置）として、貼付対象物（貼付対象物体）の外観イメージデータを記憶する物体イメージ記憶部と、印刷テープとこれに印刷する印刷内容とに加え、物体イメージ記録部から読み出した貼付対象物の外観イメージを表示（描画）する描画制御部と、を備えたものが知られている（特許文献１参照）。このプレビュー表示装置では、貼付対象物の外観イメージ上に、印刷テープおよび印刷内容を表示することで、印刷内容が印刷された印刷テープ（作成するラベル）が貼付対象物に貼り付けられた状態をプレビュー表示し、これをユーザーが確認できるようにしている。
【先行技術文献】
【特許文献】
【０００３】
【特許文献１】特開２００５−５６２９８号公報
【発明の概要】
【発明が解決しようとする課題】
【０００４】
しかしながら、上記従来の構成では、所定の貼付対象物の外観イメージを物体イメージ記憶部に予め記憶しておき、これを読み出すのみであったため、決まられた貼付対称物でしか上記プレビュー表示を行うことができないという問題があった。すなわち、外観イメージが予め記憶された貼付対象物に貼り付けるラベルの作成時にしか、上記したようなプレビュー表示を行うことができなかった。そのため、貼付対象物が多岐にわたるラベルのプレビュー表示としては、ユーザビリティが著しく低かった。
【０００５】
本発明は、作成するラベルが貼付対象物に貼り付けられた状態をプレビュー表示する構成において、任意の貼付対象物でのプレビュー表示を行うことができるプレビュー表示方法およびプレビュー表示装置に関するものである。
【課題を解決するための手段】
【０００６】
本発明のプレビュー表示方法は、作成するラベルのプレビューを表示するプレビュー表示方法であって、ラベルを貼り付ける貼付対象物を撮像して撮像画像を取得する撮像ステップと、取得した撮像画像をデータベースに記録する記録ステップと、ラベルのプレビューを表示するプレビュー表示ステップと、を実行し、プレビュー表示ステップでは、データベースから読み出した撮像画像を表示する撮像画像表示ステップと、貼付対象物の実寸法を取得する実寸法取得ステップと、取得した実寸法に基づき、撮像画像上の貼付対象物の寸法に合わせて、ラベルのラベルイメージを相対的に拡縮するラベルイメージ拡縮ステップと、拡縮したラベルイメージを、撮像画像上の貼付対象物に重畳して表示するラベルイメージ表示ステップと、を実行することを特徴とする。
【０００７】
本発明のプレビュー表示装置は、作成するラベルのプレビューを表示するプレビュー表示装置であって、ラベルを貼り付ける貼付対象物を撮像して撮像画像を取得する対象物撮像部と、取得した撮像画像をデータベースに記録する記録部と、ラベルのプレビューを表示するプレビュー表示部と、を備え、プレビュー表示部は、データベースから読み出した撮像画像を表示する撮像画像表示部と、貼付対象物の実寸法を取得する実寸法取得部と、取得した実寸法に基づき、撮像画像上の貼付対象物の寸法に合わせて、ラベルのラベルイメージを相対的に拡縮するラベルイメージ拡縮部と、拡縮したラベルイメージを、撮像画像上の貼付対象物に重畳して表示するラベルイメージ表示部と、を有することを特徴とする。
【０００８】
これらの構成によれば、貼付対象物を撮像し、撮像して得られた撮像画像上の貼付対象物に対し、その寸法に合わせて相対的に拡縮したラベルイメージを重畳して表示する。このように、撮像した貼付対象物でのプレビュー表示を行うことができるため、ラベルが貼付対象物に貼り付けられた状態をプレビュー表示する構成において、任意の貼付対象物でのプレビュー表示を行うことができる。なお、ラベルイメージを拡縮する構成でも良いし、撮像画像を拡縮することで、撮像画像上の貼付対象物に対しラベルイメージを相対的に拡縮する構成でも良い。
【０００９】
上記のプレビュー表示方法において、撮像ステップでは、貼付対象物と共に、当該貼付対象物に貼り付けられたゲージを撮像し、実寸法取得ステップでは、撮像画像上のゲージに基づいて、貼付対象物の実寸法を取得することが好ましい。
【００１０】
この構成によれば、ユーザー側で、貼付対象物の実寸法を調べ、これを入力する手間を省くことができる。
【００１１】
上記のプレビュー表示方法において、貼付対象物の実寸法を入力する実寸法入力ステップを、更に実行し、実寸法取得ステップでは、実寸法入力ステップにより入力された実寸法を取得することが好ましい。
【００１２】
この構成によれば、貼付対象物の実寸法を調べる処理を省略することができる。
【００１３】
これらの場合、ラベルの寸法を入力する寸法入力ステップを、更に実行し、記録ステップでは、撮像画像を、入力されたラベルの寸法と紐付けてデータベースに記録することが好ましい。
【００１４】
また、貼付対象物を入力する対象物入力ステップを、更に実行し、記録ステップでは、撮像画像を、入力された貼付対象物と紐付けてデータベースに記録することが好ましい。
【００１５】
これらの構成によれば、撮像画像に対し、ラベルの寸法や貼付対象物を紐付けてデータベースに記録することで、データベースから撮像画像を読み出す際、これらに基づいて、撮像画像を読み出すことができる。すなわち、データベースに記憶された複数の撮像画像の中から所望の撮像画像を読み出す際、所望の撮像画像を容易に読み出すことができる。
【図面の簡単な説明】
【００１６】
【図１】本発明の一実施形態に係るラベル作成システムを示したシステム構成図である。
【図２】ホスト装置の機能構成を示した機能ブロック図である。
【図３】ゲージを示した図である。
【図４】編集画面を示した図である。
【図５】撮像画像記録動作を示したフローチャートである。
【図６】プレビュー表示動作を示したフローチャートである。
【発明を実施するための形態】
【００１７】
以下、添付の図面を参照し、本発明の一実施形態に係るプレビュー表示方法およびプレビュー表示装置について説明する。実施形態では、本発明のプレビュー表示方法およびプレビュー表示装置を適用したラベル作成システムを例示する。このラベル作成システムは、ラベル作成装置により、長尺状の印刷テープに印刷を行い、印刷テープの印刷済み部分を切断して、ラベルを作成するものである。特に、本ラベル作成システムは、作成するラベルが貼付対象物に貼り付けられた状態のプレビューを表示する構成を有する。
【００１８】
図１に示すように、ラベル作成システムＳＹは、印刷装置であるラベル作成装置１と、ラベル作成装置１を接続したホスト装置２（プレビュー表示装置）と、を備える。ラベル作成装置１とホスト装置２とは、有線により接続される構成でも良いし、無線により接続される構成でも良い。また、ラベル作成装置１とホスト装置２とは、直接接続される構成でも良いし、ネットワーク（インターネットやローカルエリアネットワーク）を介して接続される構成でも良い。
【００１９】
ラベル作成装置１は、印刷テープに対し印刷を行うテープ印刷装置であり、通信部１１と、カートリッジ装着部１２と、印刷部１３と、切断部１４と、制御部１５と、を備える。
【００２０】
通信部１１は、ホスト装置２とのデータ通信を行う。本実施形態では、通信部１１は、ホスト装置２から、印刷データを受信するのに用いられる。
【００２１】
カートリッジ装着部１２は、長尺状の印刷テープを収容したテープカートリッジＣを着脱自在に装着する。テープカートリッジＣに収容された印刷テープは、表面に印刷画像が形成される記録テープと、粘着剤層により記録テープの裏面に貼着した剥離テープと、を積層して構成される。当該印刷テープから作成されたラベルは、記録テープ部分から剥離テープ部分を剥がし、粘着剤層により記録テープ部分を、貼付対象物Ｔに貼り付けることで利用される。
【００２２】
印刷部１３は、印刷ヘッド１３ａを有し、テープカートリッジＣから繰り出された印刷テープに対し印刷を行う。この印刷により、記録テープの表面に印刷画像を形成する。一方、切断部１４は、テープカッター１４ａを有し、印刷テープの印刷済み部分を切断する。本ラベル作成装置１では、印刷部１３により印刷テープに印刷を行いつつ、切断部１４により当該印刷済み部分を切断する（切り離す）ことで、表面に印刷画像が形成されたラベルを作成する。
【００２３】
制御部１５は、ＣＰＵ（Central  Processing  Unit）、ＲＯＭ（Read  Only  Memory）、ＲＡＭ（Random  Access  Memory）等で構成されており、ラベル作成装置１全体を統括制御する。そして、制御部１５は、通信部１１によりホスト装置２から印刷データを受信し、受信した印刷データに基づいて、印刷部１３および切断部１４を制御し、印刷テープに対する印刷処理および切断処理を行わせる。これによって、ラベルを作成する。
【００２４】
一方、ホスト装置２は、スマートデバイスや、撮像カメラが接続されたパーソナルコンピューター等を利用可能であり、操作部２１と、表示部２２と、通信部２３と、撮像部２４と、記憶部２５と、制御部２６と、を備える。
【００２５】
操作部２１は、各種操作を行うためのものであり、各種入力を行うための入力部や、各種指定を行うための指定部、各種選択を行うための選択部として機能する。
【００２６】
表示部２２は、各種情報を表示する。本実施形態では、表示部２２は、主に、各種入力画面や各種選択画面、並びに後述の編集画面Ｄを表示するのに用いられる。
【００２７】
通信部２３は、ラベル作成装置１とのデータ通信を行う。本実施形態では、通信部２３は、印刷データをラベル作成装置１に送信するのに用いられる。
【００２８】
撮像部２４は、撮像カメラ等で構成され、画像（静止画像）を撮像する。本実施形態では、作成するラベルを貼り付ける貼付対象物Ｔを撮像するのに用いられる。
【００２９】
記憶部２５は、フラッシュＲＯＭやハードディスクドライブ等で構成され、ホスト装置２の制御に係る各種プログラムや各種情報を記憶する。また、記憶部２５は、撮像画像Ｇを記憶する画像データベース２５ａ（データベース）を有する。
【００３０】
制御部２６は、ＣＰＵ、ＲＯＭ、ＲＡＭ等を有し、ホスト装置２を統括制御する。ホスト装置２は、制御部２６により、記憶部２５に記憶された所定のプログラムを実行することで、印刷制御装置およびプレビュー表示装置として機能する。
【００３１】
ここで図２を参照して、ホスト装置２の機能構成について説明する。図２に示すように、ホスト装置２は、機能構成として、対象物撮像部３１と、付加情報入力部３２と、撮像画像記録部３３（記録部）と、撮像画像選択部３４と、編集画面表示部３５（プレビュー表示部）と、印刷データ生成部３６と、印刷データ送信部３７と、を備える。
【００３２】
対象物撮像部３１は、撮像部２４により構成され、作成するラベルを貼り付ける貼付対象物Ｔを撮像して、撮像画像Ｇを取得する。なお、撮像画像Ｇから貼付対象物Ｔの実寸法や撮像角度を画像認識できるように、対象物撮像部３１は、貼付対象物Ｔと共に、貼付対象物Ｔに貼り付けたゲージＡを撮像する。図３に示すように、当該ゲージＡは、２ｃｍ四方の正方形のマークＭが４つ印刷されたラベルで構成される。４つのマークＭは、テープ長方向に並んで配置されると共に、マーク同士の間隔が、それぞれ８ｃｍ、４ｃｍ、２ｃｍとなるように配置される。このマークＭの寸法やマークＭ同士の間隔を目盛りとして利用し、貼付対象物Ｔの実寸法や撮像角度が画像認識される。ユーザーは、撮像に先駆けて、撮像する貼付対象物Ｔに当該ゲージＡを貼り付け、対象物撮像部３１は、このゲージＡが貼り付けられた貼付対象物Ｔを、ゲージＡと共に撮像する。すなわち、取得される撮像画像Ｇは、貼付対象物ＴとゲージＡとが写ったものとなる。
【００３３】
付加情報入力部３２は、操作部２１、表示部２２および制御部２６により構成され、対象物撮像部３１により取得した撮像画像Ｇに付加する付加情報（タグ）を入力するためのものである。付加情報入力部３２は、付加情報を入力するための付加情報入力画面を表示し、ユーザーによる付加情報の入力を受け付ける。本実施形態では、付加情報として、ラベルのテープ幅（寸法）と貼付対象物Ｔ（の名称や種類）とを入力する。すなわち、付加情報入力部３２は、テープ幅および貼付対象物Ｔを入力するための付加情報入力画面を表示し、ユーザーによるテープ幅および貼付対象物Ｔの入力を受け付ける。
【００３４】
撮像画像記録部３３は、制御部２６により構成され、対象物撮像部３１によって取得した撮像画像Ｇを画像データベース２５ａに記録する。このとき、撮像画像記録部３３は、撮像画像Ｇを、付加情報入力部３２により入力された付加情報と紐付けて、画像データベース２５ａに記録する。
【００３５】
撮像画像選択部３４は、操作部２１、表示部２２および制御部２６により構成され、編集画面Ｄ上のプレビューＰの表示に用いる撮像画像Ｇを選択するためのものである。具体的には、撮像画像選択部３４は、プレビュー表示に用いる撮像画像Ｇを選択するための撮像画像選択画面を表示して、ユーザーによる撮像画像Ｇの選択を受け付ける。撮像画像選択画面では、画像データベース２５ａに記憶された各撮像画像Ｇを選択肢とすると共に、各撮像画像Ｇのサムネイルと、各撮像画像Ｇに紐づけられた付加情報（テープ幅および貼付対象物Ｔ）と、を表示する。ユーザーは、このサムネイルや付加情報を参考にして、画像データベース２５ａに記憶された複数の撮像画像Ｇから１の撮像画像Ｇを選択する。
【００３６】
編集画面表示部３５は、表示部２２および制御部２６により構成され、作成するラベルの印刷内容やラベルサイズを入力／編集するための編集画面Ｄを表示する。編集画面表示部３５および編集画面Ｄの詳細については、後述する。
【００３７】
印刷データ生成部３６は、制御部２６により構成され、編集画面Ｄにおける入力／編集結果（印刷内容およびラベルサイズ）に基づいて、印刷データを生成する。印刷データ送信部３７は、通信部２３および制御部２６により構成され、印刷データ生成部３６によって生成した印刷データを、ラベル作成装置１に送信する。これらによって、編集画面Ｄにおける入力／編集結果を反映したラベルをラベル作成装置１に作成させる。
【００３８】
ここで図２および図４を参照して、編集画面表示部３５および編集画面Ｄについて説明する。上記したように、編集画面表示部３５は、作成するラベルの印刷内容やラベルサイズを入力／編集するための編集画面Ｄを表示する。
【００３９】
図４に示すように、編集画面Ｄは、プレビュー表示領域４１と、ユーザー入力領域４２と、を有する。プレビュー表示領域４１は、作成するラベルのプレビューＰを表示する。そして、プレビュー表示領域４１では、貼付対象物Ｔを撮像した上記撮像画像Ｇを利用し、ラベルが貼付対象物Ｔに貼り付けられた状態のプレビューＰを表示する。
【００４０】
一方、ユーザー入力領域４２は、印刷内容を入力／編集するための印刷内容編集部４６と、ラベルサイズを入力／編集するためのラベルサイズ編集部４７と、有する。また、ユーザー入力領域４２は、上記プレビューＰの画像を拡大縮小する拡縮率を指定するための画像拡縮率指定部４８と、上記プレビューＰにおけるラベルの貼付位置を指定するための貼付位置指定部４９と、を有する。
【００４１】
このような編集画面Ｄにより、ユーザーは、ラベルが貼付対象物Ｔに貼り付けられた状態のプレビューＰを見ながら、印刷内容やラベルサイズの入力／編集を行うことができる。ここで図２に戻り、ラベルが貼付対象物Ｔに貼り付けられた状態のプレビューＰを表示するための、編集画面表示部３５の各機能について説明する。
【００４２】
図２に示すように、編集画面表示部３５は、上記プレビュー表示に係る機能として、撮像画像読出部５１と、撮像画像表示部５２と、画像認識部５３（実寸法取得部）と、ラベルイメージ生成部５４と、ラベルイメージ変形部５５（ラベルイメージ拡縮部）と、ラベルイメージ表示部５６と、を有する。
【００４３】
撮像画像読出部５１は、撮像画像選択部３４によって選択された撮像画像Ｇを画像データベース２５ａから読み出す。
【００４４】
撮像画像表示部５２は、撮像画像読出部５１によって読み出した撮像画像Ｇを、プレビュー表示領域４１上に表示する。このとき、撮像画像表示部５２は、当該撮像画像Ｇを、画像拡縮率指定部４８で指定した拡縮率に拡縮して表示する。
【００４５】
画像認識部５３は、撮像画像読出部５１によって読み出した撮像画像Ｇを画像認識して、撮像画像Ｇに写った貼付対象物Ｔの実寸法および撮像角度を取得する。すなわち、画像認識部５３は、撮像画像Ｇ上における貼付対象物Ｔの寸法と、撮像画像Ｇ上のゲージＡの各寸法（マークＭの寸法およびマーク同士の各間隔）とに基づき、貼付対象物Ｔの実寸法を算出して、これを取得する。また、画像認識部５３は、撮像画像Ｇ上のゲージＡの各寸法に基づき、貼付対象物Ｔの撮像角度を算出して、これを取得する。
【００４６】
ラベルイメージ生成部５４は、印刷内容編集部４６およびラベルサイズ編集部４７で入力された印刷内容およびラベルサイズに基づいて、ラベルイメージＲを生成する。すなわち、ラベルイメージ生成部５４は、入力されたラベルサイズの印刷テープのイメージに、入力された印刷内容を重畳して、ラベルイメージＲを生成する。
【００４７】
ラベルイメージ変形部５５は、画像認識部５３によって取得した貼付対象物Ｔの実寸法および撮像角度に基づき、撮像画像Ｇ上の貼付対象物Ｔに合わせて、ラベルイメージＲを変形する。すなわち、ラベルイメージ変形部５５は、画像認識部５３によって取得した貼付対象物Ｔの実寸法に基づき、撮像画像Ｇ上の貼付対象物Ｔの寸法に合わせて、ラベルイメージＲを拡縮（拡大または縮小）する。また、ラベルイメージ変形部５５は、画像認識部５３により取得した貼付対象物Ｔの撮像角度に合わせて、ラベルイメージＲにパースを付ける（遠近変形）。なお、ラベルイメージＲの拡縮は、貼付対象物Ｔの実寸法と、撮像画像Ｇ上の貼付対象物Ｔの寸法との倍率を算出すると共に、算出した倍率でラベルイメージＲを拡縮することで行われる。
【００４８】
ラベルイメージ表示部５６は、ラベルイメージ変形部５５によって変形したラベルイメージＲを、撮像画像表示部５２によって表示した撮像画像Ｇ上の貼付対象物Ｔに重畳して表示する。このとき、ラベルイメージ表示部５６は、当該ラベルイメージＲを、貼付対象物Ｔ上における、貼付位置指定部４９で指定された貼付位置に表示する。この撮像画像ＧおよびラベルイメージＲの表示によって、プレビュー表示領域４１上に、ラベルが貼付対象物Ｔに貼り付けられた状態のプレビューＰが表示される。
【００４９】
次に図５および図６を参照して、ホスト装置２による撮像画像記録動作およびプレビュー表示動作について説明する。撮像画像記録動作は、貼付対象物Ｔを撮像して撮像画像Ｇを取得し、これを画像データベース２５ａに記録するものであり、プレビュー表示動作は、撮像画像記録動作で画像データベース２５ａに記録した撮像画像Ｇを読み出し、これを用いて上記プレビュー表示を行うものである。まず、図５を参照して、ホスト装置２による撮像画像記録動作について説明する。
【００５０】
図５に示すように、撮像画像記録動作では、まず、対象物撮像部３１により、貼付対象物Ｔを、これに貼り付けられたゲージＡと共に撮像して、撮像画像Ｇを取得する（Ｓ１）（撮像ステップ）。
【００５１】
撮像画像Ｇを取得したら、付加情報入力部３２により、付加情報入力画面を表示して（Ｓ２）、ユーザーによるテープ幅および貼付対象物Ｔの入力待ちの状態に移行する（Ｓ３）。これに対し、ユーザーがテープ幅および貼付対象物Ｔを入力すると、付加情報入力部３２により、これを受け付ける（寸法入力ステップおよび対象物入力ステップ）。
【００５２】
テープ幅および貼付対象物Ｔの入力を受け付けたら（Ｓ３：Ｙｅｓ）、撮像画像記録部３３により、取得した撮像画像Ｇを、入力されたテープ幅および貼付対象物Ｔと紐付けて、画像データベース２５ａに記録する（Ｓ４）（記録ステップ）。これによって、本撮像画像記録動作を終了する。
【００５３】
次に図６を参照して、ホスト装置２によるプレビュー表示動作について説明する。図６に示すように、プレビュー表示動作では、まず、撮像画像選択部３４により、撮像画像選択画面を表示して（Ｓ１１）、ユーザーによる撮像画像Ｇの選択待ちの状態に移行する（Ｓ１２）。これに対し、ユーザーが撮像画像Ｇを選択すると、撮像画像選択部３４により、これを受け付ける。
【００５４】
撮像画像Ｇの選択を受け付けたら（Ｓ１２：Ｙｅｓ）、編集画面表示部３５により、プレビュー表示処理を実行する（Ｓ１３〜Ｓ１９）（プレビュー表示ステップ）。具体的には、まず、撮像画像読出部５１により、選択された撮像画像Ｇを画像データベース２５ａから読み出し（Ｓ１３）、撮像画像表示部５２により、読み出した撮像画像Ｇをプレビュー表示領域４１に表示する（Ｓ１４）（撮像画像表示ステップ）。
【００５５】
撮像画像Ｇを表示したら、画像認識部５３により、撮像画像読出部５１によって読み出した撮像画像Ｇを画像認識し、撮像画像Ｇ上の貼付対象物Ｔの寸法および撮像画像Ｇ上のゲージＡの各寸法に基づいて、貼付対象物Ｔの実寸法および撮像角度を取得する（Ｓ１５）（実寸法取得ステップ）。その後、ラベルイメージ生成部５４により、印刷内容編集部４６およびラベルサイズ編集部４７で入力／編集された印刷内容およびラベルサイズに基づき、ラベルイメージＲを生成する（Ｓ１６）。
【００５６】
ラベルイメージＲを生成したら、ラベルイメージ変形部５５により、画像認識で取得した貼付対象物Ｔの実寸法および撮像角度に基づいて、ラベルイメージＲを変形する。すなわち、貼付対象物Ｔの実寸法に基づき撮像画像Ｇ上の貼付対象物Ｔの寸法に合わせて、ラベルイメージＲを拡縮し（Ｓ１７）（ラベルイメージ拡縮ステップ）、貼付対象物Ｔの撮像角度に合わせて、ラベルイメージＲにパースを付ける（Ｓ１８）。
【００５７】
ラベルイメージＲを変形したら、ラベルイメージ表示部５６により、変形したラベルイメージＲを、表示した撮像画像Ｇ上の貼付対象物Ｔに重畳して表示する（Ｓ１９）（ラベルイメージ表示ステップ）。これによって、プレビュー表示領域４１上に、ラベルが貼付対象物Ｔに貼り付けられた状態のプレビューＰが表示される。これにより、本プレビュー表示動作を終了する。
【００５８】
以上、上記実施形態の構成によれば、撮像した貼付対象物Ｔでのプレビュー表示を行うことができるため、ラベルが貼付対象物Ｔに貼り付けられた状態をプレビュー表示する構成において、任意の貼付対象物Ｔでのプレビュー表示を行うことができる。
【００５９】
また、貼付対象物Ｔと共に、当該貼付対象物Ｔに貼り付けられたゲージＡを撮像し、撮像画像Ｇ上のゲージＡに基づいて、貼付対象物Ｔの実寸法を取得する構成であるため、ユーザー側で、貼付対象物Ｔの実寸法を調べ、これを入力する手間を省くことができる。
【００６０】
さらに、撮像画像Ｇに対し、ラベルのテープ幅や貼付対象物Ｔを紐付けて画像データベース２５ａに記録する構成であるため、画像データベース２５ａから撮像画像Ｇを読み出す際、これらに基づいて、撮像画像Ｇを読み出すことができる。すなわち、画像データベース２５ａに記憶された複数の撮像画像Ｇの中から所望の撮像画像Ｇを読み出す際、所望の撮像画像Ｇを容易に読み出すことができる。
【００６１】
なお、上記実施形態においては、付加情報入力部３２において、ラベルのテープ幅をユーザーに入力させる構成であったが、ラベルのテープ幅を自動的に取得する構成でも良い。すなわち、撮像画像Ｇ取得時に、ラベル作成装置１に装着されたテープカートリッジＣにおける印刷テープのテープ幅を、ラベル作成装置１から取得する構成でも良い。
【００６２】
また、上記実施形態においては、撮像画像Ｇに紐づけた付加情報（テープ幅および貼付対象物Ｔ）を、撮像画像選択画面で表示するのみであったが、当該付加情報を用いた撮像画像Ｇのソートや抽出、検索等を行う構成でも良い。
【００６３】
さらに、上記実施形態においては、取得した撮像画像Ｇをそのまま、画像データベース２５ａに記録する構成であったが、取得した撮像画像Ｇを加工（画像の大きさ変更等）し、加工済みの撮像画像Ｇを、画像データベース２５ａに記録する構成でも良い。
【００６４】
なお、上記実施形態においては、貼付対象物Ｔと共に撮像したゲージＡに基づいて、貼付対象物Ｔの実寸法を取得する構成であったが、貼付対象物Ｔの実寸法を、ユーザーに入力させる構成でも良い。すなわち、ホスト装置２は、貼付対象物Ｔの実寸法を入力するための実寸法入力部を、更に備える。具体的には、実寸法入力部は、実寸法入力画面を表示して、ユーザーによる実寸法の入力を受け付ける。そして、プレビュー表示動作において、実寸法入力部により、実寸法入力画面を表示し、ユーザーによる実寸法の入力を受け付け（実寸法入力ステップ）、この入力された実寸法を取得する（実寸法取得ステップ）。かかる構成によれば、貼付対象物Ｔの実寸法を調べる処理を省略することができる。
【００６５】
また、上記実施形態においては、ラベルイメージ変形部５５において、貼付対象物Ｔの実寸法に基づき、撮像画像Ｇ上の貼付対象物Ｔの寸法に合わせて、ラベルイメージＲを拡縮する構成であったが、これに限るものではない。すなわち、貼付対象物Ｔの実寸法に基づいて撮像画像Ｇ側を拡縮することで、撮像画像Ｇ上の貼付対象物Ｔの寸法に合わせて、ラベルイメージＲを相対的に拡縮する構成でも良い。
【００６６】
なお、上記実施形態においては、ホスト装置２内の画像データベース２５ａに撮像画像Ｇを記録し、ホスト装置２内の画像データベース２５ａから撮像画像Ｇを読み出す構成であったが、ホスト装置２外の画像データベース２５ａに撮像画像Ｇを記録し、ホスト装置２外の画像データベース２５ａから撮像画像Ｇを読み出す構成でも良い。例えば、インターネット等のネットワーク上の画像データベース２５ａに撮像画像Ｇを記録し、当該ネットワーク上の画像データベース２５ａから、撮像画像Ｇを読み出す構成でも良い。
【００６７】
また、上記実施形態において、貼付対象物Ｔに貼り付けるゲージＡを、本ラベル作成システムＳＹで作成する構成でも良い。
【００６８】
さらに、上記実施形態においては、本発明のプレビュー表示装置をホスト装置に適用する構成であったが、これに限るものではない。例えば、本発明のプレビュー表示装置をラベル作成装置１に適用する構成でも良い。かかる場合、ラベル作成装置１が、対象物撮像部３１、付加情報入力部３２、撮像画像記録部３３、撮像画像選択部３４および編集画面表示部３５を備える構成とする。
【符号の説明】
【００６９】
４１…プレビュー表示領域、４２…ユーザー入力領域、４６…印刷内容編集部、４７…ラベルサイズ編集部、４８…画像拡縮率指定部、４９…貼付位置指定部、Ｄ…編集画面、Ｇ…撮像画像、Ｐ…プレビュー、Ｔ…貼付対象物。
【図１】
2017097587.tif 000003
【図２】
2017097587.tif 000004
【図３】
2017097587.tif 000005
【図４】
2017097587.tif 000006
【図５】
2017097587.tif 000007
【図６】
2017097587.tif 000008